(57)【要約】【課題】短絡環の外径方向への変形を抑制する効果の高い補強部材を有  するかご形回転子を提供する。【解決手段】回転軸２と、積層コア３と、積層コア３の外周面に近接し  て軸方向へ貫通形成された複数の貫通穴５と、貫通穴５に配置される複数の導  体棒６および積層コア３の軸方向両端でそれら導体棒６を短絡し、かつ、相互  に連結する一対の短絡環７より構成されるとともに鋳造工程により一体成形さ  れる導体部分と、短絡環を被覆して短絡環の変形を防止する一対の補強部材８  とを備えたかご形回転子において、補強部材８を非磁性体で構成するとともに  、短絡環外周と内周を覆うように配置し、短絡環外周と内周の補強部材の軸方  向中央部を連結して略Ｉ字状断面を構成し、短絡環７と補強部材８を機械的に固定して、補強部材８を導体部分の鋳造時に積層コア３および短絡環７と一体に成形する。【選択図】      図１
2004242388.tif 000002
【特許請求の範囲】
【請求項１】
回転軸と、前記回転軸に固定され、複数の磁性薄板を  積層してなる積層コアと、前記積層コアの外周面に近接して軸方向へ貫通形成  された複数の貫通穴と、前記貫通穴に配置される複数の導体棒および前記積層  コアの軸方向両端でそれら導体棒を短絡し、かつ、相互に連結する一対の短絡  環より構成される共に鋳造工程により一体成形される導体部分と、前記短絡環  を被覆して短絡環の変形を防止する一対の補強部材とを備えたかご形回転子に  おいて、
前記補強部材は非磁性体で構成され、短絡環外周と内周を覆うように配  置され、その短絡環外周と内周の補強部材の軸方向中央部を連結して略Ｉ字状
断面をなしており、短絡環と補強部材を機械的に固定し、前記補強部材は前記導体部分の鋳造時に前記積層コアおよび前記短絡環と一体成形してなるもので
あることを特徴とするかご形回転子。
【発明の詳細な説明】
【０００１】
【発明の属する技術分野】
本発明は、かご形回転子に関し、特に導体短絡環の保持構造に関するも  のである。
【０００２】
【従来の技術】
従来、かご形回転子の導体短絡環の保持構造は、図３のようになってい  る（たとえば特許文献１参照）。
図３において、１は回転子、２は回転軸、３は回転軸２に嵌着固定され  る複数の磁性薄板を積層してなる積層コア、４は積層コア３の軸方向両端面間  に貫通形成される中心穴、５は積層コア３の外周面に近接して周方向に等間隔  配置で軸方向へ貫通形成された複数の貫通穴、６は貫通穴５のそれぞれに配置  される複数の導体棒、７は積層コア３の軸方向両端に配置され、複数の導体棒  ６を相互に機械的かつ電気的に連結する一対の短絡環、８は各々の短絡環を保  持する一対の補強部材である。
補強部材８は短絡環７を囲むような略Ｌ字断面をなし、回転子１の回転  時、遠心力による短絡環７の外径方向の変形を抑制する外周部９、補強部材８  の位置を短絡環７に対して固定する内周部１０、及び外周部９と内周部１０を  機械的に連結する連結部１１からなる。
【０００３】
【特許文献１】
実開平５−５０９８１号公報
【０００４】
【発明が解決しようとする課題】
ところが従来技術では、補強部材８の外周部９は片側端面で連結部１１  にて固定されているため、補強部材８の外周部９において、連結部１１により  径方向に拘束のある端面と径方向に拘束のない端面の距離が長くなり、図４に  示すように、回転子１の回転時外径方向に拘束のない端面が遠心力により外径  方向に大きく変形していた。
これにより補強部材８は、回転子１の回転時に短絡環７の外径方向の変  形を抑制するという本来の機能が低かった。
本発明は、このような問題を解決するためになされたもので、短絡環の  外径方向への変形を抑制する効果の高い補強部材を有するかご形回転子を提供  することを目的とするものである。
【０００５】
【課題を解決するための手段】
上記問題を解決するため、本発明は、回転軸と、前記回転軸に固定され  、複数の磁性薄板を積層してなる積層コアと、前記積層コアの外周面に近接し  て軸方向へ貫通形成された複数の貫通穴と、前記貫通穴に配置される複数の導  体棒および前記積層コアの軸方向両端でそれら導体棒を短絡し、かつ、相互に  連結する一対の短絡環より構成される共に鋳造工程により一体成形される導体  部分と、前記短絡環を被覆して短絡環の変形を防止する一対の補強部材とを備  えたかご形回転子において、前記補強部材を非磁性体で構成するとともに、短  絡環外周と内周を覆うように配置し、前記短絡環外周と内周の補強部材の軸方  向中央部を連結して略Ｉ字状断面を構成し、短絡環と補強部材を機械的に固定
して、前記補強部材を前記導体部分の鋳造時に前記積層コアおよび前記短絡環
と一体に成形するようにしたものである。
これにより、補強部材の外周部を径方向に拘束する部分から径方向の拘  束のない端面までの距離を短くして、外周部の端面の径方向への変形を小さく  して短絡環の外径方向への変形を抑制する効果が高まる。また、ダイカスト後  の短絡環の収縮による内径方向の変形も補強部材の内周部が抑制する。補強部  材の外周部と内周部が固定部により連結されているため、遠心力による短絡環  外周部の変形も、ダイカスト後の短絡環の収縮による変形も、外周部と内周部  の２箇所で抑制することができ、補強強度も向上する。
【０００６】
【発明の実施の形態】
本発明の実施例を、図に基づいて説明する。
図１は本発明の実施例におけるかご形回転子を示す側断面図である。
図において、従来技術と同一の部材は同一符号を付し、その説明は省略  する。本発明が従来技術と異なる点は、次のとおりである。
すなわち、補強部材８は、略Ｉ字状の断面をなし、短絡環７の外周を覆  うように配置された外周部９と、前記短絡環７の内周を覆うように配置された  内周部１０と、前記外周部９と内周部１０の軸方向中央部を半径方向に連結さ  せた連結部１１とから構成されている。また、補強部材８は、導体棒６及び短  絡環７の鋳造時に、積層コア３および短絡環７と一体に成形される。
具体的に従来技術と異なる点は、外周部９と内周部１０とにより、短絡  環の外形、内形両方を補強部材の軸方向の中央部の連結部１１で連結すること  により固定している点と、それにより補強部材の内周部と外周部がお互いに補  強しあう点である。
また、短絡環７の鋳造時に連結部１１が湯流れを妨げるため、例えば図  ２の（ａ）および（ｂ）に示すように、連結部１１に軸方向の穴１２を空ける  ことにより湯流れを良くするようにしている。
【０００７】
【発明の効果】
以上述べたように、本発明によれば、次のような効果がある。
（１）補強部材の外周部を径方向に拘束する部分から径方向の拘束のない端      面までの距離が短かくなり、外周部の端面の径方向への変形を小さくする      ことができる。
（２）また、従来の構造の補強部材の外周部の変形を抑制する効果に加え、      内周部の変形を抑制することができる。さらに、外周部、内周部両方の補      強強度も上げることができる。
【図面の簡単な説明】
【図１】本発明の実施例におけるかご形回転子を示す側断面図であ  る。
【図２】図１の要部を示す図で、（ａ）は側断面図、（ｂ）は（ａ  ）におけるＸ−Ｘ断面図である。
【図３】従来技術におけるかご形回転子を示す側断面図である。
【図４】従来技術における問題点を示す要部断面図である。
【符号の説明】
１  回転子
２  回転軸
３  積層コア
４  中心穴
５  貫通穴
６  導体棒
７  短絡環
８  補強部材
９  外周部
１０  内周部
１１  連結部
１２  穴
【図１】
2004242388.tif 000003
【図２】
2004242388.tif 000004
【図３】
2004242388.tif 000005
【図４】
2004242388.tif 000006